(57)【要約】      （修正有）【課題】農作物に被害を及ぼす鳥獣を、光、音、臭い等を複合的に用いて農耕地等から効果的に追い払うことができる、複合型鳥獣忌避装置を提供する。【解決手段】ソーラー発電で蓄電される蓄電池２３と、該蓄電池２３で駆動される制御部３とを有しており、検知エリア内に接近した鳥獣を検知する少なくとも１以上の赤外線センサ部５と、該鳥獣を撮像する少なくとも１以上のカメラ部４と、該カメラ部４で撮像した鳥獣の映像を、管理者の情報端末に送信する移動体通信部と、該鳥獣に向かって閃光を発する少なくとも１以上の発光部６と、該鳥獣が忌避する音、音声叉は音波を発生する発音部７と、該鳥獣が忌避する臭気叉は忌避剤を噴射する噴射部８を含んで構成されている。【選択図】図１
0003215346.tif 000002
【実用新案登録請求の範囲】
【請求項１】
ソーラ発電で充電された蓄電池と、該蓄電池で駆動される制御部を有する鳥獣忌避装置において、
感知範囲内に接近した鳥獣を感知する、少なくとも１以上の赤外線センサ部と、
該鳥獣を撮像する、少なくとも１以上のカメラ部と、
該カメラ部で撮像した鳥獣の映像を、管理者の情報端末に送信する移動体通信部と、
該鳥獣に向かって光を発する、少なくとも１以上の発光部と、
該鳥獣が忌避する音、音声叉は音波を発生する発音部と、
該鳥獣が忌避する臭い叉は忌避剤を噴射する噴射部とを含んで構成されていることを特徴とする複合型鳥獣忌避装置。
【請求項２】
前記制御部は、前記発光部、発音部及び噴射部を同時に作動させるように制御、及び／又は個別に作動させるように制御されていることを特徴とする請求項１に記載の複合型鳥獣忌避装置。
【請求項３】
前記制御部は、前記カメラ部で撮像した鳥獣の映像を管理者の情報端末で観察しながら、前記鳥獣に対して発光部、発音部及び噴射部を同時或いは個別に作動させるように制御されていることを特徴とする請求項１叉は２に記載の複合型鳥獣忌避装置。
【請求項４】
前記噴射部は、臭い叉は忌避剤を噴射するカートリッジを含み、該カートリッジが空になったときに点灯する表示灯が設けられており、該表示等が点灯したことを知らせる警報を前記情報端末に送信するように制御されていることを特徴とする請求項１〜３のいずれかに記載の複合型鳥獣忌避装置。
【請求項５】
前記複合型鳥獣忌避装置は、防水仕様の本体に収納されており、該本体は本体取付部により自立用ポールに接続されていることを特徴とする請求項１〜４のいずれかに記載の複合型鳥獣忌避装置。
【請求項６】
前記本体は、前記自立用ポールの上部に、回転自在に設置されており、前記カメラ部で撮像した鳥獣の映像を管理者の情報端末で観察しながら、前記鳥獣が忌避する臭気叉は忌避剤を噴射する噴射部の噴射口を、前記鳥獣に向けて回転させるように制御されていることを特徴とする請求項１〜５のいずれかに記載の複合型鳥獣忌避装置。
【考案の詳細な説明】
【技術分野】
【０００１】
本考案は、農作物に被害を及ぼす猪、鹿、鳥等（以下、鳥獣という）を、光、音、臭い等を用いて農耕地等から効果的に追い払うことができる、複合型鳥獣忌避装置に関する。
【背景技術】
【０００２】
従来、鳥獣から農作物を保護する手段として、農作物の周辺を防護柵で囲うことが行われているが、広い農耕地を防護柵で囲うと多額の費用が必要となる。山裾に設ける場合は、柵を高く（例えば、１．５ｍ以上）しないと鹿が簡単に柵を乗り越える。また、猪は捕食のために防護柵を持上げ、土を掘り起こして農耕地に侵入する。この隙間を利用して鹿がくぐり抜けて柵内に進入する。一方、カラスやヒヨドリなどの鳥類は空から飛来するので、防護柵による効果はない。
【０００３】
鳥獣を撃退するために、様々な対策が講じられている。例えば、光センサと、撃退すべき鳥獣の接近を表す信号を出力する近接センサとを用い、該近接センサからの信号に基づいて撃退すべき鳥獣が接近した場合にのみ、閃光を発生させる鳥獣追い払い装置が開示されている（特許文献１参照。）。また、鳥獣の存在を検出した後、駆動部が作動して発射部から鳥獣撃退用の忌避剤を発射して鳥獣を撃退する鳥獣撃退装置が開示されている（特許文献２参照。）。また、警報起動手段が警報起動信号を出力すると、警報起動信号を遠方の人に知らせて鳥獣の撃退行為に人が関与出来るようにし、確実に鳥獣を撃退することができる鳥獣撃退装置が開示されている（特許文献３参照。）。さらに、げっ歯類を対象とした害獣の接近や存在を感知する感知手段により作動して、害獣類が忌避する音波、光線、及び臭気等を発する害獣の排除装置が開示されている（特許文献４参照。）。
【先行技術文献】
【特許文献】
【０００４】
【特許文献１】特開２０１２−２２３１８０号公報
【特許文献２】特開２００８−２１１９７７号公報
【特許文献３】特開２００４−４９１９２号公報
【特許文献４】特開昭６３−１４６４７号公報
【考案の概要】
【考案が解決しようとする課題】
【０００５】
特許文献１〜４に開示されている様々な装置は、特定の鳥獣を対象とすれば一定の効果はあるが、全ての鳥獣に対して満足な効果を期待することは難しい。また、特許文献４には、げっ歯類（ねずみ等）に特化した音波、光線、及び臭気を発する害獣の排除装置が開示されているが、この構造では猪や鹿等の大型害獣に応用することは難しい。
鳥獣による平成２７年度の農作物被害は、農村振興局農村政策部農村環境課鳥獣対策室の発表によれば、被害金額が１７６億円となっており、これら鳥獣に対する効果的な忌避装置が切望されている。
【０００６】
本考案の複合型鳥獣忌避装置は、鳥獣による農作物への被害を防止するために開発されたものである。したがって、鳥獣に危害を加え、捕獲するのではなく、該鳥獣による被害の増加を防ぎ、鳥獣が農作物に近づかないようにしている。本考案では、農作物に被害を及ぼす鳥獣を、光、音、臭いを複合的に用いて農耕地等から効果的に追い払うことができる、複合型鳥獣忌避装置を提供することを課題としている。
【課題を解決するための手段】
【０００７】
本考案の複合型鳥獣忌避装置は、ソーラー発電で蓄電される蓄電池と、該蓄電池で駆動される制御部とを有する複合型鳥獣忌避装置であり、感知範囲内に接近した鳥獣を感知する少なくとも１以上の赤外線センサ部と、該鳥獣を撮像する少なくとも１以上のカメラ部と、該カメラ部で撮像した鳥獣の映像を、管理者の情報端末に送信する移動体通信部と、該鳥獣に向かって光を発する少なくとも１以上の発光部と、該鳥獣が忌避する音、音声又は超音波を発生する発音部と、該鳥獣が忌避する臭気又は忌避剤を噴射する噴射部とを含んで構成されていることを特徴としている。
【０００８】
本考案の複合型鳥獣忌避装置の制御部は、発光部、発音部及び噴射部を同時に又は選択的に作動させるように制御されていることを特徴としている。
【０００９】
本考案の複合型鳥獣忌避装置の制御部は、カメラ部で撮像した鳥獣の映像を管理者の情報端末で観察しながら、前記鳥獣に対して発光部、発音部及び噴射部を同時或いは個別に作動させるように制御されていることを特徴としている。
【００１０】
本考案の複合型鳥獣忌避装置の噴射部は、臭気又は忌避剤を噴射するカートリッジを含み、該カートリッジが空になったときに点灯する表示灯が設けられている。また、該表示等が点灯したことを知らせる警報を管理者の情報端末に送信するように制御されていることを特徴としている。
【００１１】
本考案の複合型鳥獣忌避装置は、防水仕様の本体に収納されており、該本体は自立用ポールを介して土地に自立させるか、三脚に挿入して地面に設置、或いは取付具を用いて防護柵（電気柵が好ましい）に取付ていることを特徴としている。
【００１２】
本考案の複合型鳥獣忌避装置の本体下部は、回転自在な構造を有しており、カメラ部で撮像した鳥獣の映像を管理者の情報端末で観察しながら、前記鳥獣が忌避する臭気又は忌避剤を噴射する噴射部の噴射口を、前記鳥獣に向けて回転させるように制御されていることを特徴としている。
【考案の効果】
【００１３】
本考案の複合型鳥獣忌避装置は、鳥獣の接近を感知する赤外線センサ部と、感知した鳥獣を撮像する赤外線カメラ部を用いて、鳥獣が嫌う光、音、臭いを発生させる機能を搭載している。これにより、前記赤外線センサの感知範囲内に鳥獣が入ると、光、音、臭いを同時又は選択的に発生させて鳥獣を威嚇することで、農作物等に近づくことを防止することができる。
また、各機能を作動させるために必要な電力は、本体上部に設置されたソーラーパネルで発電して蓄電池に蓄電されるため、電池交換する必要がない。さらに野外設置に対応した防水仕様であるため、天候による影響を受け難く、長期間メンテナンスフリーで使用することができる。
【図面の簡単な説明】
【００１４】
【図１】本考案に係る複合型鳥獣忌避装置の実施形態の一例を示した模式図である。
【図２】本考案に係る複合型鳥獣忌避装置の赤外線センサと赤外線カメラの配置関係を示した説明図である。
【図３】本考案に係る複合型鳥獣忌避装置のブロック図である。
【図４】本考案に係る本体の回転機構の模式図である。
【図５】本考案に係る複合型鳥獣忌避装置を自立用ポールで設置したものである。
【図６】本考案に係る複合型鳥獣忌避装置を三脚で設置したものである。
【図７】本考案に係る複合型鳥獣忌避装置を取付具で設置したものである。
【考案を実施するための形態】
【００１５】
以下、本考案の複合型鳥獣忌避装置１について、図面に基づき詳細に説明する。図１において、通常、本体１０は野外に設置されるため防水仕様の円筒体としている。上部は平面部を有しており、下部は本体取付部１１を介して自立用ポール１２に取付けられている。なお、本体１０の形状は、円筒体に限定されるものではなく、上部にソーラーパネル２１を設置できる平面部を有しておれば、直方体や多角柱等でもよく、部分的に球面や曲面を用いてもよい。
【００１６】
本体１０の表面に露出して取付けられている各機器は、該本体１０と同様に防水加工が施されている。本体１０の平面部には、例えば、１Ｗの発電力を有するソーラーパネル２１が設けられており、発電可能な太陽光を受光している間は、図３に示すように、充電回路２２（充放電コントローラ）を経由して蓄電池２３（リチウムイオン電池）に蓄電を行っている。
【００１７】
本体１０の円筒外周には、感知範囲内に進入した鳥獣の体温を感知する赤外線センサ５が、少なくとも１個以上配置されている。また、本体の円筒胴の外周には、感知範囲内に進入した鳥獣を撮影する赤外線カメラ４が、少なくとも１個以上配置されている。なお、図１では赤外線センサ５と赤外線カメラ４は個別に設置されているが、前記赤外線センサ５と前記赤外線カメラ４を一体化した赤外線センサ・カメラを用いてもよい。これにより、装置の簡素化を図ることができる。
【００１８】
複合型鳥獣忌避装置１の設置場所は、農耕地の中央部、防護柵（電気柵が好ましい）の近傍、または防護柵に少なくとも１個以上設置することが好ましい。前記複合型鳥獣忌避装置１を農耕地等の中央部に設置する場合は、図２で示すように、全方位型が好ましく、前記農耕地等の隅部や防護柵Ｓ近傍に設置する場合は広角型が好ましく、直接防護柵Ｓに取付ける場合は標準型が好ましい。
【００１９】
図２は、赤外線センサ５と赤外線カメラ４の本体１０円筒胴部への配置関係を、上面から見た説明図である。
（ａ）は、赤外線センサ５と赤外線カメラ４を各々４個配置しており、複合型鳥獣忌避装置１０の設置場所を農耕地等の中央部に設置する場合に好ましい全方位型である。この配置とすれば、水平方向に３６０°対応しているので、鳥獣がどの方向から農耕地に接近しても確実に感知することができる。
（ｂ）は、赤外線センサ５を３個、赤外線カメラ４を２個配置しており、農耕地等の隅部や防護柵の近傍に設置する場合に好ましい広角型である。水平方向に２７０°対応しているので、鳥獣を広範囲で感知することができる。
（ｃ）は赤外線センサ５を２個、赤外線カメラ４を１個配置しており、略直線状に張設された防護柵に設置する場合に好ましい標準型である。水平方向に１８０°対応しているので、前方（斜め前方を含む）から接近してくる鳥獣を確実の感知することができる。
【００２０】
前記赤外線センサ５は、感知範囲内に進入した鳥獣の体温を感知するものであり、用途に合わせて様々なものが使用できる。本考案の複合型鳥獣忌避装置１では、例えば、感知範囲が、水平約９０°、垂直９０°（上４５°、下４５°）、直線有効距離３〜５ｍ（最大１０ｍ）を用いている。
【００２１】
赤外線カメラ５は、赤外線センサ４が感知範囲内に進入した鳥獣を感知すると、撮影を開始して、移動体通信部３１に組み込まれた送信アンテナ３２から鳥獣の画像（動画又は静止画）を管理者の情報端末Ｍに送信する。これにより、管理者は昼間及び夜間を問わず、感知した鳥獣の時間や種類を録画又はリアルタイムで確認することができる。
【００２２】
本体１０の円筒胴の外周には、感知範囲内に進入した鳥獣に向けてＬＥＤ光線を照射する発光部６が、少なくとも１個以上配置されている。該発光部６は超高輝度ＬＥＤであり、赤外線センサ５の設置個数と同数を近接して設置することが好ましい。このように配置すれば、赤外線センサ５が鳥獣を感知すると同時に、該鳥獣に向けて超高輝度ＬＥＤの光線が照射されるので、鳥獣忌避効果が格段に向上する。また、より好ましくは、前記赤外線センサ５の投射窓の外周縁に多数の超高輝度ＬＥＤを周設した一体型の赤外線センサ５とすることである。
【００２３】
前記本体１０の円筒胴の外周には、感知範囲内に進入した鳥獣に向けて該鳥獣が嫌いな音、音声、又は超音波を発する発音部７が配置されている。音及び音声の音源は、メモリーカード３３（ＳＤカード等、以下同じ）であり、本体１０の内部に収納されている。
【００２４】
前記本体１０の円筒胴の外周には、感知範囲内に進入した鳥獣に向けて該鳥獣が嫌いな臭いや忌避剤を噴射する噴射部８の噴射口８３が露出している。前記臭いや忌避剤は、脱着機構８５で取替可能なガスカートリッジ８４を用いており、本体１０の下部に取付けられた蓋８５を開閉することにより、本体１０の内部に収納されている。
【００２５】
本体１０の内部には、メモリーカード装着機構３４が設けられており、蓋３５を開閉することで、前記メモリーカード３３を脱着することができる。また、本体１０の下部には、該本体１０と自立用ポール１２を接続する円筒状の本体取付部１１が設けられている。該本体取付部１１には、自立用ポール１２を挿入する貫通孔（記載しない）が穿孔されており、該貫通孔に前記自立用ポール１２を挿入後、前記本体取付部１１の外周から締付けボルトを用いて、前記本体１０と前記自立用ポール１２を連結している。
【００２６】
図３において、発電部２は、ソーラーパネル２１、充電回路２２（充放電コントローラ）及び蓄電池２３より構成されている。ソーラーパネル２１は１Ｗの発電力を有しており、発電可能な太陽光を受光している間は、充電回路２２（充放電コントローラ）を経由して蓄電池２３（リチウムイオン電池）に蓄電を行っている。また、該蓄電池２３から、以下に述べる各部の稼動に必要な電力を供給している。
【００２７】
制御部３は蓄電池２３から電力の供給を受けて、発電部２、移動体通信部３１、カメラ部４、センサ部５、発光部６、発音部７及び噴射部８等を制御している。
【００２８】
カメラ部４は、赤外線カメラ４である。赤外線センサ５が感知範囲内に進入した鳥獣を感知すると、該赤外線カメラ４が撮影を開始し、移動体通信部３１に組み込まれた送信アンテナ３２から鳥獣の画像（動画又は静止画）を管理者の情報端末Ｍに送信する。これにより、管理者は昼間及び夜間を問わず、感知した鳥獣の時間や種類を録画又はリアルタイムで確認することができる。
【００２９】
また、鳥獣の画像を保存するためのメモリーカード３３を挿入するメモリーカード装着機構３４が設けられており、ＳＤカード等を挿脱することができる。鳥獣の撮像は、赤外線センサ５が感知範囲内に進入した前記鳥獣を感知すると撮影を開始し、前記鳥獣が感知範囲外に出ると撮影を終了するように制御されている。また、撮影中にメモリーカード３３の容量が不足すると、古い画像から順に上書き保存されるように制御されているので、メモリー容量は、通常４〜８ＧＢあれば十分と考えられるが、所望により１６ＧＢ以上の大容量メモリーを装着することも可能である。
【００３０】
センサ部５は、赤外線センサ５である。該赤外線センサ５は、感知範囲内に進入した鳥獣の体温を感知するものであり、本考案の複合型鳥獣忌避装置１の設置場所に合わせて、図２に示すように、全方位型、広角型又は標準型を選択することができる。また、前記設置場所の環境、面積又は地形などを考慮して、農耕地を囲う保護柵及びその近傍には複数個の広角型又は標準型を設置し、前記農耕地の中心部には全方位型を、少なくとも１個以上設置する等、適宜、設置場所や個数の変更又は移設をすることができる。
【００３１】
発光部６は、多数の超高輝度ＬＥＤを束ねた方形又は円形の発光窓が形成されている。該発光部６は、通常、鳥獣が赤外線センサ５で感知されたときに赤色や青色を含む多色の超高輝度ＬＥＤの光線を照射する。なお、暗くなると自動点灯又は点滅し、明るくなると自動消灯するように制御してもよい。また、鳥獣の学習による慣れを防止するために、発光色や発光パターンをランダムに制御している。
【００３２】
発音部６は、スピーカを含んで構成されている。該発音部は、超音波を含むランダムな複数の音や音波を発生させ、鳥獣の学習による慣れを防止している。また、鳥獣が嫌う音、音声、獣の鳴声等を録音したメモリーカード３３をメモリーカード装着機構３４に差込むことにより、効果的に音を発生させることができる。なお、前記スピーカの最大音量は１００ｄｂとしており、音量の調節が可能である。
【００３３】
噴射部８は、鳥獣が嫌う臭い成分を充填したガス噴射型のカートリッジ８４と、該カートリッジ８４を脱着するための着脱機構８５、カートリッジ８４を取付けて噴射部分に装着する噴射機構８１及び噴射口８３から構成されている。臭い成分は、鳥獣が忌避反応を示す犬やオオカミの尿等をベースにミックスしたものを基本とするが、様々な種類の臭い成分をカートリッジ８４により使い分けし、鳥獣の学習による慣れを防止している。臭い成分の散布は霧状に３〜５ｍ噴射して臭いを拡散させる。カートリッジ８４がガス切れになると、ガス切れ表示灯８２が点灯すると共に、管理者の情報端末Ｍにガス切れのアラームが送信されるように制御されている。なお、カートリッジ８４の交換は、管理者等が複合型鳥獣忌避装置１の設置場所に赴き、新しいカートリッジ８４に取換える。
【００３４】
図４において、複合型鳥獣忌避装置１の本体１０は、支柱９０の上部に設けられた上下駆動モータ９１を用いたチルト機構により、軸心を中心として上下に回転する。これにより本体１０に取付けられた赤外線カメラ４は、９０°（上４５°、下４５°）の範囲で上下に回動する。また、前記支柱９０の下部は水平駆動モータ９２を用いたパン機構により、水平方向に３５０°正回転及び逆回転する。前記チルト機構及びパン機構は、管理者の情報端末Ｍから遠隔操作することができる。
【００３５】
図５は、自立用ポール１２の先端部を土中に埋設したものである。本体１０は本体取付部１１により自立用ポール１２に連結されている。自立用ポール１２は円筒（円柱も含む）状の長尺棒であり、尖らせた先端部を土中に打ち込んで自立させており、これにより強風や衝撃などによる転倒を防止する。
図６は、自立用ポール１２を三脚１３で支持したものである。三脚１３の各先端部に設けた穴にペグ１４を挿入し、土中に打ち込んで前記三脚１３を自立させており、これにより強風や衝撃などによる転倒を防止する。
図７は、自立用ポール１２を防護柵Ｓの縦杭へ取付たものである。取付具１５は２分割去れており、両端には把持部が形成されている。一側の把持部に自立用ポール１２を、他側の把持部に保護柵Ｓの縦杭を締結ピンで締結して固定しており、これにより強風や衝撃などによる転倒を防止する。
【産業上の利用可能性】
【００３６】
本考案の複合型鳥獣忌避装置は、農作物に被害を及ぼす鳥獣を、超高輝度ＬＥＤ、音、音声、高周波及び臭いを用いて効果的に追い払うことが可能であるため、農耕地だけではなく、住宅地や公園等の公共地にも広く利用することが可能である。
【符号の説明】
【００３７】
１  複合型鳥獣忌避装置
１０  本体
１１  本体取付部
１２  自立用ポール
１３  三脚
１４  ペグ
１５  取付具
２  発電部
２１  ソーラーパネル
２２  充電回路（充放電コントローラ）
２３  蓄電池
３  制御部
３１  移動体通信部
３２  送信アンテナ
３３  メモリーカード
３４  メモリーカード装着機構
３５  蓋
４  カメラ部（赤外線カメラ）
５  センサ部（赤外線センサ）
６  発光部（高輝度ＬＥＤ）
７  発音部
８  噴射部
８１  噴射機構
８２  表示灯
８３  噴射口
８４  カートリッジ
８５  蓋          
８６  脱着機構
９０  支柱
９１  上下駆動モータ（パン機構）
９２  左右駆動モ−タ（チルト機構）
Ｍ  情報端末
Ｓ  保護柵（電気柵)
【図１】
0003215346.tif 000003
【図２】
0003215346.tif 000004
【図３】
0003215346.tif 000005
【図４】
0003215346.tif 000006
【図５】
0003215346.tif 000007
【図６】
0003215346.tif 000008
【図７】
0003215346.tif 000009
【手続補正書】
【提出日】平成30年1月15日(2018.1.15)
【手続補正１】
【補正対象書類名】実用新案登録請求の範囲
【補正対象項目名】全文
【補正方法】変更
【補正の内容】
【実用新案登録請求の範囲】
【請求項１】
ソーラ発電で充電された蓄電池と、該蓄電池で駆動される制御部を有する鳥獣忌避装置において、
感知範囲内に接近した鳥獣を感知する、少なくとも１以上の赤外線センサ部と、
該鳥獣を撮像する、少なくとも１以上のカメラ部と、
該カメラ部で撮像した鳥獣の映像を、管理者の情報端末に送信する移動体通信部と、
該鳥獣に向かって光を発する、少なくとも１以上の発光部と、
該鳥獣が忌避する音、音声叉は音波を発生する発音部と、
該鳥獣が忌避する臭い叉は忌避剤を噴射する噴射部とを含んで構成されていることを特徴とする複合型鳥獣忌避装置。
【請求項２】
前記制御部は、前記発光部、発音部及び噴射部を同時に作動させるように制御、及び／又は個別に作動させるように制御されていることを特徴とする請求項１に記載の複合型鳥獣忌避装置。
【請求項３】
前記制御部は、前記カメラ部で撮像した鳥獣の映像を、移動体通信部から管理者の情報端末に送信するように制御されており、
前記管理者が、該管理者の情報端末で前記鳥獣の画像を観察しながら、前記鳥獣に対して発光部、発音部及び噴射部を同時或いは個別に作動させることができるように制御されていることを特徴とする請求項１叉は２に記載の複合型鳥獣忌避装置。
【請求項４】
前記噴射部は、臭い叉は忌避剤を噴射するカートリッジを含み、該カートリッジが空になったときに点灯する表示灯が設けられており、該表示灯が点灯したことを知らせる警報を前記情報端末に送信するように制御されていることを特徴とする請求項１〜３のいずれかに記載の複合型鳥獣忌避装置。
【請求項５】
前記複合型鳥獣忌避装置は、防水仕様の本体に収納されており、該本体は本体取付部により自立用ポールに接続されていることを特徴とする請求項１〜４のいずれかに記載の複合型鳥獣忌避装置。
【請求項６】
前記複合型鳥獣忌避装置は、本体が前記自立用ポールの上部に、回転自在に設置されており、前記本体に内蔵された制御部は、カメラ部で撮像した鳥獣の映像を、移動体通信部から管理者の情報端末に送信するように制御されており、前記管理者が、該管理者の情報端末で前記鳥獣の画像を観察しながら、前記鳥獣に対して、前記鳥獣が忌避する臭気叉は忌避剤を噴射するために、本体に設置された噴射部の噴射口を、前記鳥獣に向けて回転させるように制御されていることを特徴とする請求項１〜５の何れかに記載の複合型鳥獣忌避装置。
【手続補正２】
【補正対象書類名】明細書
【補正対象項目名】０００９
【補正方法】変更
【補正の内容】
【０００９】
本考案の複合型鳥獣忌避装置の制御部は、カメラ部で撮像した鳥獣の映像を、移動体通信部から管理者の情報端末に送信するように制御されており、前記管理者が、該管理者の情報端末で前記鳥獣の画像を観察しながら、前記鳥獣に対して発光部、発音部及び噴射部を同時或いは個別に作動させることができるように制御されていることを特徴としている。
【手続補正３】
【補正対象書類名】明細書
【補正対象項目名】００１０
【補正方法】変更
【補正の内容】
【００１０】
本考案の複合型鳥獣忌避装置の噴射部は、臭気又は忌避剤を噴射するカートリッジを含み、該カートリッジが空になったときに点灯する表示灯が設けられている。また、該表示灯が点灯したことを知らせる警報を管理者の情報端末に送信するように制御されていることを特徴としている。
【手続補正４】
【補正対象書類名】明細書
【補正対象項目名】００１２
【補正方法】変更
【補正の内容】
【００１２】
本考案の複合型鳥獣忌避装置は、本体が前記自立用ポールの上部に、回転自在に設置されており、前記本体に内蔵された制御部は、カメラ部で撮像した鳥獣の映像を、移動体通信部から管理者の情報端末に送信するように制御されており、前記管理者が、該管理者の情報端末で前記鳥獣の画像を観察しながら、前記鳥獣に対して、前記鳥獣が忌避する臭気叉は忌避剤を噴射するために、本体に設置された噴射部の噴射口を、前記鳥獣に向けて回転させるように制御されていることを特徴としている。